【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
デバイスにおいて、入力オーディオ信号を少なくともローバンド信号およびハイバンド信号に分離するステップであって、前記ローバンド信号はローバンド周波数範囲に対応し、前記ハイバンド信号はハイバンド周波数範囲に対応する、ステップと、
前記ローバンド信号の特性を判断するステップと、
前記特性に基づいて、複数の非線形処理関数のうちの1つの非線形処理関数を選択するステップと、
前記ローバンド信号および前記非線形処理関数に基づいて、第1拡張信号を生成するステップと、
前記第1拡張信号、前記ハイバンド信号、または両方に基づいて、少なくとも1つの調整パラメータを生成するステップと
を含む、方法。
【請求項２】
前記非線形処理関数は、前記デバイスにおいて前記入力オーディオ信号が受信された後に選択され、前記第1拡張信号は、雑音信号および第2拡張信号を混合することによって生成され、前記少なくとも1つの調整パラメータは、前記第1拡張信号および前記ハイバンド信号に基づいて決定される、請求項1に記載の方法。
【請求項３】
前記雑音信号の第1の割合および前記第2拡張信号の第2の割合が混合され、前記第1の割合および前記第2の割合は、前記ローバンド信号、前記ハイバンド信号、または前記入力オーディオ信号のうちの少なくとも1つのハーモニシティに基づいて決定される、請求項2に記載の方法。
【請求項４】
オーディオフレームにおける前記入力オーディオ信号の周期性の推定に基づいて、前記ハーモニシティを決定するステップをさらに含み、前記非線形処理関数は、前記入力オーディオ信号を受信したことに応答して選択される、請求項3に記載の方法。
【請求項５】
第3拡張信号をフィルタリングすることによって、前記第2拡張信号を生成するステップをさらに含み、前記第2拡張信号の帯域幅が前記ハイバンド周波数範囲に対応する、請求項2に記載の方法。
【請求項６】
前記ローバンド信号に前記非線形処理関数を適用することによって、前記第3拡張信号を生成するステップをさらに含み、前記非線形処理関数はフレームごとに選択される、請求項5に記載の方法。
【請求項７】
前記第2拡張信号は、第3拡張信号に線形変換を適用すること、および前記ハイバンド周波数範囲に対応する変換係数を選択することによって生成される、請求項2に記載の方法。
【請求項８】
前記非線形処理関数は、関数選択器によって、前記ローバンド信号の前記特性または前記ローバンド信号の前記特性の決定された値に基づいて選択され、前記線形変換は離散コサイン変換に対応する、請求項7に記載の方法。
【請求項９】
前記少なくとも1つの調整パラメータが第1の条件を満たすと判断したことに応答して、前記複数の非線形処理関数のうちの第1の非線形処理関数を選択するステップ
をさらに含む、請求項1に記載の方法。
【請求項１０】
前記非線形処理関数は、
低次累乗関数に対応する前記複数の非線形処理関数のうちの第1の非線形処理関数と、
高次累乗関数に対応する前記複数の非線形処理関数のうちの第2の非線形処理関数と
の中から選択される、請求項1に記載の方法。
【請求項１１】
分析フィルタバンクを使用して前記入力オーディオ信号を少なくとも前記ローバンド信号および前記ハイバンド信号に分離するステップと、
前記入力オーディオ信号のフレームに関連するパラメータを決定するステップであって、前記特性は、前記ローバンド信号のオーディオ特性であり、前記少なくとも1つの調整パラメータは、前記ハイバンド信号に関連する少なくとも1つの利得調整パラメータに対応し、前記フレームに関連する前記パラメータは、前記ローバンド信号を符号化するために選択されたコーディングモード、前記フレームの周期性、前記フレームにおける非周期的雑音の量、または前記フレームに対応するスペクトル傾斜のうちの1つを含む、請求項1に記載の方法。
【請求項１２】
デバイスにおいて、入力オーディオ信号の少なくともローバンド信号に対応するローバンドデータを受信するステップと、
合成されたローバンドオーディオ信号を生成するために前記ローバンドデータを復号化するステップと、
前記ローバンド信号の特性を判断するステップと、
前記特性に基づいて、複数の非線形処理関数のうちの1つの非線形処理関数を選択するステップと、
前記合成されたローバンドオーディオ信号および前記非線形処理関数に基づいて、合成されたハイバンドオーディオ信号を生成するステップと
を含む、方法。
【請求項１３】
前記合成されたローバンドオーディオ信号および前記合成されたハイバンドオーディオ信号を組み合わせることによって、出力オーディオ信号を生成するステップをさらに含み、前記非線形処理関数は、前記合成されたローバンドオーディオ信号に基づいて選択され、前記出力オーディオ信号の第1の帯域幅が、前記合成されたローバンドオーディオ信号の第2の帯域幅よりも大きい、請求項12に記載の方法。
【請求項１４】
雑音信号および第2拡張信号を混合することによって、第1拡張信号を生成するステップをさらに含み、前記合成されたハイバンドオーディオ信号は、前記第1拡張信号および少なくとも1つの調整パラメータに基づいて生成され、前記第2拡張信号の第1の割合および前記雑音信号の第2の割合が混合され、前記第1の割合および前記第2の割合は、受信されたハーモニシティパラメータまたは前記ローバンドデータのうちの少なくとも1つに基づいて決定される、請求項12に記載の方法。
【請求項１５】
前記合成されたハイバンドオーディオ信号は、少なくとも1つの調整パラメータに関連付けられるファクタによって、第1拡張信号をスケーリングすることによって生成される、請求項12に記載の方法。
【請求項１６】
第2拡張信号に基づき、かつ第3拡張信号に基づく第1拡張信号を生成するステップをさらに含み、前記第2拡張信号はハイバンド周波数範囲に対応する、請求項12に記載の方法。
【請求項１７】
第2拡張信号に基づく第1拡張信号を生成するステップであって、前記第2拡張信号は、
第3拡張信号に線形変換を適用するステップであって、前記線形変換は離散コサイン変換に対応し、前記第3拡張信号は、前記合成されたローバンドオーディオ信号および前記非線形処理関数に基づく、ステップと、
ハイバンド周波数範囲に対応する変換係数を選択するステップと
によって生成される、請求項12に記載の方法。
【請求項１８】
フレームごとに前記デバイスにおいて受信されたパラメータに基づいて、前記非線形処理関数を選択するステップをさらに含む、請求項12に記載の方法。
【請求項１９】
前記受信するステップと、前記復号化するステップと、前記判断するステップと、前記選択するステップと、前記生成するステップとが、前記デバイス内で実行され、前記デバイスが、モバイル通信デバイスを備える、請求項12に記載の方法。
【請求項２０】
前記受信するステップと、前記復号化するステップと、前記判断するステップと、前記選択するステップと、前記生成するステップとが、固定位置データユニット内で実行される、請求項12に記載の方法。
【請求項２１】
メモリと、
プロセッサであって、
入力オーディオ信号を少なくともローバンド信号およびハイバンド信号に分離することであって、前記ローバンド信号はローバンド周波数範囲に対応し、前記ハイバンド信号はハイバンド周波数範囲に対応する、分離することと、
前記ローバンド信号の特性を判断することと、
前記特性に基づいて、複数の非線形処理関数のうちの1つの非線形処理関数を選択することと、
前記ローバンド信号および前記非線形処理関数に基づいて、第1拡張信号を生成することと、
前記第1拡張信号、前記ハイバンド信号、または両方に基づいて、少なくとも1つの調整パラメータを生成することと
を行うように構成されるプロセッサと
を備える、装置。
【請求項２２】
前記非線形処理関数は、前記入力オーディオ信号が少なくとも前記ローバンド信号および前記ハイバンド信号に分離された後に選択され、前記第1拡張信号は、雑音信号および第2拡張信号を混合することによって生成され、前記少なくとも1つの調整パラメータは、前記第1拡張信号および前記ハイバンド信号に基づいて決定される、請求項21に記載の装置。
【請求項２３】
前記雑音信号の第1の割合および前記第2拡張信号の第2の割合が混合され、前記第1の割合および前記第2の割合は、前記ローバンド信号、前記ハイバンド信号、または前記入力オーディオ信号のうちの少なくとも1つのハーモニシティに基づいて決定される、請求項22に記載の装置。
【請求項２４】
前記プロセッサは、オーディオフレームにおける前記入力オーディオ信号の周期性の推定に基づいて、前記ハーモニシティを決定するようにさらに構成される、請求項23に記載の装置。
【請求項２５】
前記プロセッサは、第3拡張信号をフィルタリングすることによって、前記第2拡張信号を生成するようにさらに構成され、前記第2拡張信号の帯域幅が前記ハイバンド周波数範囲に対応する、請求項22に記載の装置。
【請求項２６】
前記プロセッサは、前記ローバンド信号に前記非線形処理関数を適用することによって、前記第3拡張信号を生成するようにさらに構成される、請求項25に記載の装置。
【請求項２７】
前記入力オーディオ信号は、分析フィルタバンクを使用して、少なくとも前記ローバンド信号および前記ハイバンド信号に分離され、前記第2拡張信号は、第3拡張信号に線形変換を適用することであって、前記線形変換は離散コサイン変換に対応する、適用することと、前記ハイバンド周波数範囲に対応する変換係数を選択することとによって生成される、請求項22に記載の装置。
【請求項２８】
前記プロセッサは、前記入力オーディオ信号のフレームに関連するパラメータを決定するようにさらに構成され、前記非線形処理関数は前記パラメータに基づいて選択され、前記パラメータが第1の条件を満たすと判断したことに応答して、前記複数の非線形処理関数のうちの第1の非線形処理関数が選択され、前記パラメータが第2の条件を満たすと判断したことに応答して、前記複数の非線形処理関数のうちの第2の非線形処理関数が選択される、請求項21に記載の装置。
【請求項２９】
前記フレームに関連する前記パラメータは、前記ローバンド信号を符号化するために選択されたコーディングモード、前記フレームの周期性、前記フレームにおける非周期的雑音の量、および前記フレームに対応するスペクトル傾斜のうちの1つである、請求項28に記載の装置。
【請求項３０】
前記複数の非線形処理関数は、低次累乗関数および高次累乗関数を含み、前記少なくとも1つの調整パラメータは、前記ハイバンド信号に関連する少なくとも1つの利得調整パラメータに対応する、請求項21に記載の装置。
【請求項３１】
前記プロセッサはエンコーダシステムに組み込まれる、請求項21に記載の装置。
【請求項３２】
アンテナと、
前記アンテナに結合され、かつ、前記入力オーディオ信号に対応する信号を受信するように構成される、レシーバと
をさらに備える、請求項21に記載の装置。
【請求項３３】
前記プロセッサと、前記メモリと、前記レシーバと、前記アンテナとがモバイル通信デバイスに組み込まれる、請求項32に記載の装置。
【請求項３４】
前記プロセッサと、前記メモリと、前記レシーバと、前記アンテナとが固定位置データユニットに組み込まれる、請求項32に記載の装置。
【請求項３５】
メモリと、
プロセッサであって、
入力オーディオ信号の少なくともローバンド信号に対応するローバンドデータを受信することと、
合成されたローバンドオーディオ信号を生成するために前記ローバンドデータを復号化することと、
前記ローバンド信号の特性を判断することと、
前記特性に基づいて、複数の非線形処理関数のうちの1つの非線形処理関数を選択することと、
前記合成されたローバンドオーディオ信号および前記非線形処理関数に基づいて、合成されたハイバンドオーディオ信号を生成することと
を行うように構成されるプロセッサと
を備える、装置。
【請求項３６】
前記プロセッサは、前記合成されたローバンドオーディオ信号および前記合成されたハイバンドオーディオ信号を組み合わせることによって、出力オーディオ信号を生成するようにさらに構成され、前記出力オーディオ信号の第1の帯域幅が、前記合成されたローバンドオーディオ信号の第2の帯域幅よりも大きい、請求項35に記載の装置。
【請求項３７】
前記プロセッサは、雑音信号および第2拡張信号を混合することによって、第1拡張信号を生成するようにさらに構成され、前記合成されたハイバンドオーディオ信号は、前記第1拡張信号および少なくとも1つの調整パラメータに基づいて生成される、請求項35に記載の装置。
【請求項３８】
前記第2拡張信号の第1の割合および前記雑音信号の第2の割合が混合され、前記第1の割合および前記第2の割合は、受信されたハーモニシティパラメータまたは前記ローバンドデータのうちの少なくとも1つに基づいて決定される、請求項37に記載の装置。
【請求項３９】
前記合成されたハイバンドオーディオ信号は、前記少なくとも1つの調整パラメータに関連するファクタによって、前記第1拡張信号をスケーリングすることによって生成される、請求項37に記載の装置。
【請求項４０】
前記プロセッサは、第3拡張信号をフィルタリングすることによって、前記第2拡張信号を生成するようにさらに構成され、前記第2拡張信号は、ハイバンド周波数範囲に対応する、請求項37に記載の装置。
【請求項４１】
前記第2拡張信号は、第3拡張信号に線形変換を適用すること、およびハイバンド周波数範囲に対応する変換係数を選択することによって生成される、請求項37に記載の装置。
【請求項４２】
前記線形変換は離散コサイン変換に対応する、請求項41に記載の装置。
【請求項４３】
前記プロセッサは、前記合成されたローバンドオーディオ信号および前記非線形処理関数に基づいて、前記第3拡張信号を生成するようにさらに構成される、請求項41に記載の装置。
【請求項４４】
前記プロセッサは、受信されたパラメータ、または前記ローバンドデータに基づいて、前記非線形処理関数を選択するようにさらに構成される、請求項38に記載の装置。
【請求項４５】
前記プロセッサはデコーダシステムを含むモバイルデバイスに組み込まれる、請求項35に記載の装置。
【請求項４６】
入力オーディオ信号を少なくともローバンド信号およびハイバンド信号に分離するための手段であって、前記ローバンド信号はローバンド周波数範囲に対応し、前記ハイバンド信号はハイバンド周波数範囲に対応する、手段と、
前記ローバンド信号の特性を判断するための手段と、
前記特性に基づいて、複数の非線形処理関数のうちの1つの非線形処理関数を選択するための手段と、
前記ローバンド信号および前記非線形処理関数に基づいて、第1拡張信号を生成するための第1の手段と、
前記第1拡張信号、前記ハイバンド信号、または両方に基づいて、少なくとも1つの調整パラメータを生成するための第2の手段と
を含む、装置。
【請求項４７】
前記選択するための手段は、前記分離するための手段において前記入力オーディオ信号が受信された後に前記非線形処理関数を選択するように構成され、前記第1拡張信号は、雑音信号および第2拡張信号を混合することによって生成され、前記少なくとも1つの調整パラメータは、前記第1拡張信号および前記ハイバンド信号に基づいて決定される、請求項46に記載の装置。
【請求項４８】
前記雑音信号の第1の割合および前記第2拡張信号の第2の割合が混合され、前記第1の割合および前記第2の割合は、前記ローバンド信号、前記ハイバンド信号、または前記入力オーディオ信号のうちの少なくとも1つのハーモニシティに基づいて決定される、請求項47に記載の装置。
【請求項４９】
前記判断するための手段と、前記選択するための手段と、前記生成するための第1の手段と、前記生成するための第2の手段とが、モバイル通信デバイスに組み込まれる、請求項46に記載の装置。
【請求項５０】
入力オーディオ信号の少なくともローバンド信号に対応するローバンドデータを受信するための手段と、
合成されたローバンドオーディオ信号を生成するために前記ローバンドデータを復号化するための手段と、
前記ローバンド信号の特性を判断するための手段と、
前記特性に基づいて、複数の非線形処理関数のうちの1つの非線形処理関数を選択するための手段と、
前記合成されたローバンドオーディオ信号および前記非線形処理関数に基づいて、合成されたハイバンドオーディオ信号を生成するための手段と
を含む、装置。
【請求項５１】
前記ローバンドデータは、前記ローバンド信号の特性を示す、請求項50に記載の装置。
【請求項５２】
前記合成されたハイバンドオーディオ信号は、少なくとも1つの調整パラメータに関連付けられるファクタによって、第1拡張信号をスケーリングすることによって生成される、請求項50に記載の装置。
【請求項５３】
前記判断するための手段と、前記選択するための手段と、前記生成するための手段とが、モバイル通信デバイスに組み込まれる、請求項50に記載の装置。
【請求項５４】
前記判断するための手段と、前記選択するための手段と、前記生成するための手段とが、固定位置データユニットに組み込まれる、請求項50に記載の装置。
【請求項５５】
命令を記憶するコンピュータ可読ストレージデバイスであって、前記命令は、プロセッサによって実行されたときに、前記プロセッサに、
入力オーディオ信号を少なくともローバンド信号およびハイバンド信号に分離することであって、前記ローバンド信号はローバンド周波数範囲に対応し、前記ハイバンド信号はハイバンド周波数範囲に対応する、分離することと、
前記ローバンド信号の特性を判断することと、
前記特性に基づいて、複数の非線形処理関数のうちの1つの非線形処理関数を選択することと、
前記ローバンド信号および前記非線形処理関数に基づいて、第1拡張信号を生成することと、
前記第1拡張信号、前記ハイバンド信号、または両方に基づいて、少なくとも1つの調整パラメータを生成することと
を含む動作を実行させる、コンピュータ可読ストレージデバイス。
【請求項５６】
前記非線形処理関数は、前記入力オーディオ信号が少なくとも前記ローバンド信号および前記ハイバンド信号に分離された後に選択され、前記第1拡張信号は、雑音信号および第2拡張信号を混合することによって生成され、前記少なくとも1つの調整パラメータは、前記第1拡張信号および前記ハイバンド信号に基づいて決定される、請求項55に記載のコンピュータ可読ストレージデバイス。
【請求項５７】
前記動作は、
第3拡張信号をフィルタリングすることによって、前記第2拡張信号を生成することであって、前記第2拡張信号の帯域幅が前記ハイバンド周波数範囲に対応する、生成することと、
前記ローバンド信号に前記非線形処理関数を適用することによって、前記第3拡張信号を生成することと
をさらに含む、請求項56に記載のコンピュータ可読ストレージデバイス。
【請求項５８】
命令を記憶するコンピュータ可読ストレージデバイスであって、前記命令は、プロセッサによって実行されたときに、前記プロセッサに、
入力オーディオ信号の少なくともローバンド信号に対応するローバンドデータを受信することと、
合成されたローバンドオーディオ信号を生成するために前記ローバンドデータを復号化することと、
前記ローバンド信号の特性を判断することと、
前記特性に基づいて、複数の非線形処理関数のうちの1つの非線形処理関数を選択することと、
前記合成されたローバンドオーディオ信号および前記非線形処理関数に基づいて、合成されたハイバンドオーディオ信号を生成することと
を含む動作を実行させる、コンピュータ可読ストレージデバイス。
【請求項５９】
前記動作は、前記入力オーディオ信号のフレームに関連するパラメータを決定することをさらに含み、前記非線形処理関数は前記パラメータに基づいて選択される、請求項58に記載のコンピュータ可読ストレージデバイス。